(57)【要約】  湿式カミソリ用又は安全カミソリ用の、硬質プラスチック部（５）、及び圧縮部が設けられた、改善されたグリップ構造を備えたハンドルであって、前記ハンドルは、前記カミソリの頭部付近において前記ハンドルの上側に設けられた弓状に曲がったリブ（６，７）を備えており、その中央部は前記ハンドルの長手方向に沿って、かつ後方に向かって整列していることを特徴とするハンドル。
2008543517.tif 000002
【特許請求の範囲】
【請求項１】
湿式カミソリ用又は安全カミソリ用の、硬質プラスチック部、及び圧縮部を備える、改善されたグリップ構造が設けられたハンドルであって、
前記ハンドルは、前記カミソリの頭部（３）付近において前記ハンドルの上側に設けられた弓状に曲がったリブ（６，７）を備えており、該リブの中央部は前記ハンドル（２）の長手方向に沿って、かつ後方に向かって整列していることを特徴としたハンドル。
【請求項２】
前記弓状に曲がったリブ（６，７）は、上から見て約９０〜１８０度の角度の円弧のように見える請求項１に記載のハンドル。
【請求項３】
１個以上の前記リブ（６，７）は、完全な円形状を有している請求項１に記載のハンドル。
【請求項４】
前記リブ（６，７）の平均半径は０．５〜１．５ｃｍである請求項１〜３のいずれか一項に記載のハンドル。
【請求項５】
前記弓状に曲がったリブ（６，７）の全体は、刃から、又は後方の刃から５．５ｃｍ以内に設けられている請求項１〜４のいずれか一項に記載のハンドル。
【請求項６】
前記円弧の開口は、前記ハンドルの後方に向かって設けられている請求項１〜５のいずれか一項に記載のハンドル。
【請求項７】
前記弓状に曲がったリブ（６，７）の数は、１〜１２個である請求項１〜６のいずれか一項に記載のハンドル。
【請求項８】
前記リブ（６，７）は、前記ハンドルの前方に向かって僅かに傾斜している請求項１，２及び５〜７のいずれか一項に記載のハンドル。
【請求項９】
所定の前記リブ（６，７）の高さは、上から見たときの前記ハンドルの略中央部における、より高い高さから、前記リブが外方向に伸びるにつれて、より低い高さへと徐々に低くなる請求項１〜８のいずれか一項に記載のハンドル。
【請求項１０】
各々の前記リブ（６，７）の長さは、前記ハンドルの後方のより短い長さから、前記刃へ向かってより長い長さへと徐々に長くなり、次いで徐々により短い長さへと短くなる請求項１，２及び５〜９のいずれか一項に記載のハンドル。
【請求項１１】
２つの隣接した前記リブ（６，７）間の長手方向の間隔は、１．０〜３．６ｍｍである請求項１〜１０のいずれか一項に記載のハンドル。
【請求項１２】
前記リブ（６，７）の長手方向の厚さは、１．０〜４．０ｍｍである請求項１〜１１のいずれか一項に記載のハンドル。
【請求項１３】
製造に使用される材料の性質にしたがってグループ分けされた、例えばプラスチックのリブ（７）次いでゴムのリブ（６）のような配列が設けられている請求項１〜１２のいずれか一項に記載のハンドル。
【請求項１４】
射出成形された熱可塑性の非エラストマー材料からなる実質的に硬質の骨格部（５）、及び射出成形されたエラストマー材料で作られた可撓性部を備えている、複合構造を有している請求項１〜１３のいずれか一項に記載のハンドル。
【発明の詳細な説明】
【技術分野】
【０００１】
本発明は、湿式カミソリ又は安全カミソリに関するものである。本発明は特に、湿式カミソリ用又は安全カミソリ用の改善されたグリップ構造を備えた、人間工学に基づいたハンドルに関するものである。
【背景技術】
【０００２】
湿式カミソリ又は安全カミソリ（以下、安全カミソリと称する）の多くの種類が従来技術において知られている。カミソリは通常、ハンドル部を備えており、その前端部には１つ以上の刃を備えたカミソリ刃ユニットが配置されている。
【０００３】
ハンドル部の構造は、グリップの最適な位置のために重要であり、肌表面に対して、１以上の刃の最適な剃り角度を提供している。ハンドルの表面にはグリップ用のパッド又はリブが設けられている。
【０００４】
しかしながら、多くの既知のハンドルのタイプは、ハンドルが、石鹸を含んだ、及び濡れた状況で使用される場合には、グリップの性質が制限される。従って、グリップ用のパッド又はリブは、エラストマーの圧縮性材料で作られるが、それらの形状及び／又は大きさにより、剃り、特に精密な剃り、更に使用者の人差指がカミソリ刃ユニットを案内するときの剃りは容易ではない。指がハンドルの側面を滑るとき、刃は長手方向に押され、使用者は自分自身を切る可能性がある。
【０００５】
いくつかの既知のタイプのハンドルは、良好な保持を得ることを可能にしているが、特に人差指が重要な役割を持つ精密な剃りに関して、更に良い品質を有するハンドルに関する研究が継続中である。
【０００６】
特許文献１には、カミソリの頭部付近においてハンドルの上側に操作機構が設けられたハンドルが開示されている。その操作機構は、いくつかの図においては直線状の短いリブが設けられており、他の図においては曲線状に見える。
【０００７】
特許文献２には、カミソリの頭部付近においてハンドルの上側に短いリブを備えているアクチュエータが設けられたハンドルが開示されている。
【特許文献１】欧州特許出願公開第０８９４０４０号明細書
【特許文献２】欧州特許出願公開第０４０２１０５号明細書
【発明の開示】
【発明が解決しようとする課題】
【０００８】
出願人は、カミソリの頭部付近においてハンドルの上側に設けられた弓状に曲がったゴムのリブが設けられている新しいタイプのハンドルを設計した。
【０００９】
驚くべきことであり、意外なことであったが、本発明の新しいタイプのハンドルの使用によって、カミソリ刃ユニットは正確に案内されることが可能となり、結果として鼻の下のような肌の剃りにくい面において、非常に良い剃り味が得られるということがわかった。
【課題を解決するための手段】
【００１０】
それゆえ、本件出願の対象は、湿式カミソリ用又は安全カミソリ用の、硬質プラスチック部、及び圧縮部が設けられた、改善されたグリップ構造を備えたハンドルであって、前記ハンドルには、カミソリの頭部付近においてハンドルの上側に設けられた弓状に曲がったリブが設けられており、その中央部はハンドルの長手方向に沿って、かつ後方に向かって整列していることを特徴としている。
【００１１】
弓状に曲がったリブは、硬質プラスチック材料、又は好適にはゴム材料で作られ得る。
【００１２】
弓状に曲がったリブは上から見ると、円弧のように見え、円弧は通常約７０〜２００度の角度、とりわけ９０〜１８０度であり、好適には１００〜１７０度、一層好適には１２０〜１６０度の角度である。
【００１３】
１個以上のリブが完全な円形状を有する場合がある。これにより吸着効果が得られる場合があり、使用者が剃っている間に更なるグリップ効果を提供する。
【００１４】
このようなリブの平均半径は０．５〜１．５、好適には０．６〜１．２、更に好適には０．６５〜１．０５ｃｍであり得る。
【００１５】
本発明のシステムにおいて、「ゴム」という用語は、過度な力を必要としないで使用者による十分な圧縮を可能にする、好適にはエラストマープラスチック材料、一層好適には成形可能なエラストマー材料を示している。このような材料の例は、例えば当技術分野で周知のいずれかのエラストマー成分であり、特にグリップ部を形成するのに好適なエラストマー硬度範囲にあり、この硬度範囲はショアＡ硬度の範囲である。これはエラストマー及び熱可塑性エラストマー、及びそれらの混合物を含んでいる。好適なエラストマーは、ニトリルゴム（ＮＢＲ）、スチレンブタジエンゴム（ＳＤＲ）、エチレン・プロピレン３元共重合体（ＥＰＤＭ）、及び（互換性を有する）それらの混合物を含んでいる。好適な熱可塑性エラストマーの例は、スチレンブロック共重合体、例えば、スチレン・ブチレンブロック共重合体（ＳＢＳ）、スチレン・エチレン・ブチレンブロック共重合体（ＳＥＢＳ）、熱可塑性ポリウレタン、ポリエーテルブロックアミド、コポリエステル、熱可塑性ポリオレフィン（ＥＰＤＭ／ＰＰ，ＮＢＲ／ＰＰ…）、及び（互換性を有する）それらの混合物を含んでいる。さらに、前記エラストマー材料は１以上の添加物を含有することができる。添加物の例は、一般に抗酸化物質に分類される化学物質、ＵＶ安定剤、接着性調整剤（adhesion modifier）、臭気減少剤、及びその他当業者に周知である材料を含んでいる。添加物は、前記材料の加工性を改善し、その保管寿命及び使用寿命を拡張し、本質的に相互互換性を（inter-compatible）有さない基体「ポリマー製支持体」（substrate "polymeric supports"）への接着性を改善し、特有の典型的なエラストマー及びエラストマー合成物臭のような、特有の知覚性の異常を遅らせる。
【００１６】
「カミソリの頭部付近において」とは、弓状に曲がったリブの全体が、刃から、又は後方の刃から５．５ｃｍ以内に、好適には５．２ｃｍ〜１．０ｃｍ、一層好適には４．９ｃｍ〜１．５ｃｍ、特には４．５ｃｍ〜２．０ｃｍに設けられていることを意図している。
【００１７】
弧の開口は刃へ向かって設けられてもよい。しかし、選択的な条件においては、開口は、図に示されているように、ハンドルの後方に向かって設けられている。
【００１８】
別の選択的な条件においては、弓状に曲がったリブはハンドルの硬質プラスチックの表面に設けられている。
【００１９】
弓状に曲がったリブの数は１〜１２、特には２〜１０、好適には３〜８、一層好適には約７個である。
【００２０】
リブはハンドルの表面に対して垂直に設けることができるが、別の選択的な条件においては、リブはハンドルの前方に向かって、ハンドルの表面から約７５°の角度、例えば６０°〜８０°で僅かに傾斜している。
【００２１】
各々のリブの高さは一定であってよい。しかし、本発明の実施の好適な条件下では、所定のリブの高さは、上から見たときのハンドルの略中央部における、より高い高さから、リブが外方向へ伸びるにつれて、より低い高さへと徐々に低くなる。
【００２２】
各々のリブの高さは一定であってよい。しかし、本発明の実施の好適な条件下では、所定のリブの高さは、上に見られるハンドルの略中央部における、より低い高さから、リブが外方向へ伸びるにつれて、より高い高さへと徐々に高くなる。
【００２３】
また、複数のリブの高さは一定であってもよい。しかし、本発明の実施の好適な条件下では、それぞれ隣り合うリブの高さ又は最大高さは、ハンドルの後方のより低い高さから、刃部へ向かう、より高い高さへと徐々に高くなる。
【００２４】
本発明の実施の別の好適な条件下では、隣り合うリブの高さ又は最大高さは、ハンドルの後方のより高い高さから、刃部へ向かうより低い高さへと徐々に低くなる。
【００２５】
リブの長さは一定であってよい。しかし、本発明の実施の他の好適な条件下では、各々のリブの長さは、ハンドルの後方のより短い長さから、刃へ向かう、より長い長さへと徐々に長くなる。長い長さは、短い長さの約１５０％とすることができる。本発明の実施の別の好適な条件下では、各々のリブの長さは、ハンドルの後方のより短い長さから、刃部へ向かってより長い長さへと徐々に長くなり、次いで徐々により短い長さへと短くなる。
【００２６】
２つの隣接したリブ間の長手方向の間隔は１．０〜３．６、好適には１．４〜２．６、特には１．６〜２．０ｍｍである。
【００２７】
リブの長手方向の厚さは１．０〜４．０、好適には１．５〜３．０、一層好適には２〜２．５ｍｍである。
【００２８】
出願人は、上記の弓状に曲がったリブの滑り防止効果を、硬質プラスチックのリブ及びゴムのリブの組合せによって、向上させることができることもまた発見した。
【００２９】
プラスチックのリブ及びゴムのリブの配列を設けることができる。好適には、リブは、それらの製造に使用される材料の性質に従って、例えばプラスチックのリブ、次いでゴムのリブにグループ分けされる。
【００３０】
本発明の実施の好適な条件下においては、硬質プラスチックの弓状に曲がったリブが、カミソリの頭部に近接したハンドルの上側のゴムのリブと、刃を備えたカートリッジとの間に設けられる。このような場合は、各々の硬質プラスチックのリブの長さは、好適には、ハンドルの後方のより長い長さから、刃部に向かうより短い長さへと徐々に短くなる。
【００３１】
硬質プラスチックの弓状に曲がったリブの概略の構造は、好適にはゴムのリブのそれと同様である。
【００３２】
別の選択的な条件においては、弓状に曲がったプラスチックのリブの数は２〜４、好適には３個である。
【００３３】
更なる選択的な条件において、弓状に曲がったゴムのリブの数は、３〜６、好適には４個である。
【００３４】
本発明のハンドルは、射出成形された熱可塑性の非エラストマー材料からなる実質的に硬質の骨格部、及び射出成形されたエラストマー材料で作られた可撓性部を備えている、複合構造を有している。ハンドルの表面の、いくつかの場所は非エラストマー材料によって構成されており、他の場所はエラストマー材料によって構成されている。
【００３５】
本発明を実施するための好適な条件下では、本ハンドルは２つのステップの工程で得られる。
【００３６】
本発明の対象は、硬質プラスチック材料の骨格部を成形するステップ、及び前記骨格部上のエラストマーのグリップ部を成形するステップを具備している、上述のカミソリのハンドルの製造方法でもあって、弓状に曲がったリブは、ハンドルの上側に設けられる。
【００３７】
本発明を実施するための好適な条件下では、弓状に曲がったゴムのリブが設けられ、溝がカミソリ頭部付近においてハンドルの骨格部に設けられ、プラスチックの硬質面の下から、ハンドルの上面上に開けられた溝の穴を通じてエラストマー材料を供給することによって、弓状に曲がったゴムのリブを作ることができる。ハンドルの硬質プラスチック面に設けられた弓状に曲がったゴムのリブは、このようにして得られる。
【００３８】
本発明によるハンドルは、弓状に曲がったリブがカミソリ頭部付近においてハンドルの上側に設けられているため、有利な特性を有している。
【００３９】
弓状に曲がったリブは、特にそれらがゴムで作られている場合、精密な剃りをしている間に、人差指が滑るのを防ぐ。
【００４０】
滑り防止効果は、カミソリ頭部に近いハンドルの上側に設けられたゴムのリブと硬質プラスチックのリブの合成によって向上する。プラスチックのリブが、ゴムのリブと、刃を備えたカートリッジとの間に設けられた場合が顕著である。
【００４１】
また、上述した形状及び寸法の弓状に曲がったリブのこのような構成を設けられたハンドルは、使用者に改善された感触の良さをさらに提供し、特に濡れていて、湿気のある環境において、カミソリの操作性及び把持性を改善する。
【００４２】
上述した形状のハンドルを有している安全カミソリは、使用者が精密な剃りをしている間の最適な人間工学に基づいたグリップを保証する。
【００４３】
また、上記したゴムの隆起部を実施するための好適な条件は、上記にて構想された本発明の他の対象、特に上述のカミソリのハンドルを作るための方法にも適用される。
【００４４】
本発明の技術的範囲は、以下の記載を参照することによって、より良く理解することが可能であり、この記載の目的は、本発明の有利点を説明することである。
【発明を実施するための最良の形態】
【００４５】
図１〜３を参照すると、安全カミソリ１は緩やかに湾曲しているハンドル２、及びプラスチックの本体４に固定された複数の刃を備えている硬質プラスチックの本体４を有するカミソリ刃ユニット３を備えている。
【００４６】
ハンドル２は、成形可能な硬質プラスチック材料で作られている骨格部５を備えている。ハンドル２には、性質に従ってグループ分けされたリブの配列が設けられており、４個の弓状に曲がったゴムのリブ６がハンドルの後方に向い、３個の弓状に曲がった硬質プラスチックのリブがハンドルの前方へ向かっている。
【００４７】
ゴムのリブ６は、成形可能なエラストマー材料で作られており、過度な力を必要としないで使用者による圧縮を可能にしている。従って、ゴムのリブ６は曲げ及び圧縮しやすくなっており、それゆえに、人差指の表面の自然輪郭と一致させやすくなっており、よってハンドル２と使用者の間の確実な接触を提供している。
【００４８】
図１に見られるように、上から見た弓状に曲がったゴムのリブ６及び硬質プラスチックのリブ７は約１１０度の角度の円弧状の外観を持ち、その中心点はハンドル２の長手方向に沿って整列している。
【００４９】
弧の開口はハンドルの後方に向かって設けられている。
【００５０】
それらの通常の形状は、三日月形である。それゆえ、所定のリブ６，７の高さは、ハンドルの略中央部におけるより高い高さから、リブが後方へ延びるに従って、より低い高さへ、徐々に低くなる。
【００５１】
各々の硬質プラスチックのリブ７の長さは、ハンドル２の後方の、より長い長さから、カミソリ刃ユニット３に向かってより短い長さへと徐々に短くなる一方で、各々のゴムのリブ６の長さは、ハンドルの後方のより短い長さから、カミソリ刃ユニット３に向かってより長い長さへと徐々に長くなっている。
【００５２】
図３に見られるように、リブは、ハンドルの前方に向かって、ハンドルの表面から約７５°の角度で僅かに傾斜している。隣り合う弓状に曲がったゴムのリブ６の最大高は、硬質プラスチックのリブ７とは反対に、ハンドルの後方のより低い高さから、刃へ向かうより高い高さへと徐々に高くなっている。
【００５３】
図４に見られるように、ハンドル２は、成形可能な硬質プラスチック材料で作られた骨格部５を備えている。ハンドル２には、使用する材料の性質に従ってグループ分けされたリブの配列が設けられている：左側がハンドルの後方に向かった４個の弓状に曲がったゴムのリブ６、右側がハンドルの前方に向かった弓状に曲がった硬質プラスチックのリブ７である。
【００５４】
図５に見られるように、ハンドル２は、成形可能な硬質プラスチック材料で作られた骨格部５を備えている。ハンドル２には、リブの配列が設けられているが、リブはそれらの製造に使用される材料の性質に従ってはグループ分けされていない。左の４個のリブはプラスチックのリブとゴムのリブとの交互配置である一方で、右の残り３個のリブは全て硬質プラスチックのリブである。
【００５５】
カミソリ刃ユニット３は、剃りをしている間は使用者の人差指によって最適に案内される。
【図面の簡単な説明】
【００５６】
【図１】本発明のハンドルの一実施形態による安全カミソリの前部の平面図である。
【図２】本発明のハンドルの一実施形態による安全カミソリの前部の斜視図である。
【図３】本発明のハンドルの一実施形態による安全カミソリの前部の側面図である。
【図４】本発明のハンドルの一実施形態による安全カミソリの前部の、図１のＩＶ―ＩＶに沿って描かれた縦断面図である。
【図５】図４の縦断面図の変形形態である。
【符号の説明】
【００５７】
１  安全カミソリ
２  ハンドル
３  カミソリ刃ユニット
４  プラスチックの本体
５  骨格部
６  ゴムのリブ
７  プラスチックのリブ
【図１】
2008543517.tif 000003
【図２】
2008543517.tif 000004
【図３】
2008543517.tif 000005
【図４】
2008543517.tif 000006
【図５】
2008543517.tif 000007
【国際調査報告】
2008543517.tif 000008
2008543517.tif 000009
2008543517.tif 000010